(57)【要約】【課題】雪収容室内の区画領域内に降雪をほぼ満杯状態で堆積収容したとしても、降雪を収容した複数個のコンテナが区画領域内の堆積収容した降雪による大きな側圧を受けることになり、構築強度が高い頑丈な貯蔵庫を構築する必要がなくなり、貯蔵庫全体を簡易な構築構造とすることができ、経済性を高めることができる。【解決手段】雪収容室２と食料貯蔵室３との境界部分Ｋは開放状態とされ、上記雪収容室内に上記降雪Ｓを収容した複数個のコンテナＣ・・を側壁１ｂに沿って並列配置し、雪収容室の複数個のコンテナで区画された区画領域Ｒ内に降雪が堆積収容され、雪収容室内の複数個のコンテナ内の降雪及び区画領域内の降雪による冷気Ｈは食料貯蔵室に開放状態の境界部分を介して導入されてなる。【選択図】図２
2018146176.tif 000002
【特許請求の範囲】
【請求項１】
屋根及び側壁で囲繞形成された貯蔵庫内に降雪を収容する雪収容室及び農産物等の食料を貯蔵する食料貯蔵室に区画し、上記雪収容室と上記食料貯蔵室との境界部分は開放状態とされ、上記雪収容室内に上記降雪を収容した複数個のコンテナを上記側壁に沿って並列配置し、該雪収容室の該複数個のコンテナで区画された区画領域内に降雪を堆積収容し、該雪収容室内の複数個のコンテナ内の降雪及び該区画領域内の降雪による冷気を該食料貯蔵室に該開放状態の境界部分を介して導入することを特徴とする食料貯蔵方法。
【請求項２】
上記雪収容室内の区画領域内に複数枚の堰板を順次上方に積重配置して降雪を堆積収容することを特徴とする請求項１記載の食料貯蔵方法。
【請求項３】
屋根及び側壁で囲繞形成された貯蔵庫内に降雪を収容する雪収容室と農産物等の食料を貯蔵する食料貯蔵室とを備えてなり、上記雪収容室と上記食料貯蔵室との境界部分は開放状態とされ、上記雪収容室内に上記降雪を収容した複数個のコンテナを上記側壁に沿って並列配置し、該雪収容室の該複数個のコンテナで区画された区画領域内に降雪が堆積収容され、該雪収容室内の複数個のコンテナ内の降雪及び該区画領域内の降雪による冷気は該食料貯蔵室に該開放状態の境界部分を介して導入されることを特徴とする食料貯蔵設備。
【請求項４】
上記コンテナは四角箱状の枠組部材及び網目パネル部材からなることを特徴とする請求項３記載の食料貯蔵設備。
【請求項５】
上記降雪を収容した複数個のコンテナは上記側壁に沿って積重状態で並列配置されていることを特徴とする請求項３又は４記載の食料貯蔵設備。
【発明の詳細な説明】
【技術分野】
【０００１】
本発明は、例えば、収穫したジャガイモ、玉ねぎ、人参等の各種の農産物や清酒、味噌等の醸造品等の食料を降雪の冷気により貯蔵する食料貯蔵方法及びその貯蔵設備に関するものである。
【背景技術】
【０００２】
従来、この種の食料貯蔵方法及びその貯蔵設備として、屋根及び側壁で囲繞形成された貯蔵庫内に降雪を収容する雪収容室と農産物等の食料を貯蔵する食料貯蔵室とを備えてなるものが知られている。
【先行技術文献】
【特許文献】
【０００３】
【特許文献１】特公平３−６１１１０号
【特許文献２】特許第３１７２９８４号
【発明の概要】
【発明が解決しようとする課題】
【０００４】
しかしながら上記従来構造の場合、前者の構造にあっては、図１１の如く、雪収容室Ａ内に降雪Ｓや氷塊をほぼ満杯状態で堆積収容する構造であるから、貯蔵庫Ｔの構築構造において、雪収容室Ａ内に堆積収容した降雪Ｓにより貯蔵庫Ｔの側壁Ｔ１に大きな側圧が作用することになり、このため、貯蔵庫Ｔの側壁Ｔ１の構造を降雪Ｓの側圧Ｄに耐え得る強度に設計する必要があり、貯蔵庫Ｔ全体を頑丈な構造にしなければならず、又、後者の構造にあっては、貯蔵庫内の雪収容室と食料貯蔵室との間は熱伝導性の良い金属材製の隔壁により仕切形成され、雪収容室内に降雪を収容した複数個のコンテナをほぼ密の状態で積重配置し、隔壁の雪収容室側に複数個の熱交換パイプを配設し、送風ファンにより食料貯蔵室の空気を熱交換パイプ内を介して給風口から雪収容室内に排風口より循環させ、熱交換パイプ内の空気は雪収容室の冷気により間接的に冷却され、冷却された冷気は再び食料貯蔵室内に還流されるという構造であるから、設備構造が複雑化すると共に設備コストの高騰を余儀なくされることがあるという不都合を有している。
【課題を解決するための手段】
【０００５】
本発明はこれらの不都合を解決することを目的とするもので、本発明のうち、請求項１記載の方法の発明は、屋根及び側壁で囲繞形成された貯蔵庫内に降雪を収容する雪収容室及び農産物等の食料を貯蔵する食料貯蔵室に区画し、上記雪収容室と上記食料貯蔵室との境界部分は開放状態とされ、上記雪収容室内に上記降雪を収容した複数個のコンテナを上記側壁に沿って並列配置し、該雪収容室の該複数個のコンテナで区画された区画領域内に降雪を堆積収容し、該雪収容室内の複数個のコンテナ内の降雪及び該区画領域内の降雪による冷気を該食料貯蔵室に該開放状態の境界部分を介して導入することを特徴とする食料貯蔵方法にある。
【０００６】
又、請求項２記載の方法の発明は、上記雪収容室内の区画領域内に複数枚の堰板を順次上方に積重配置して降雪を堆積収容することを特徴とするものである。
【０００７】
又、請求項３記載の設備の発明は、屋根及び側壁で囲繞形成された貯蔵庫内に降雪を収容する雪収容室と農産物等の食料を貯蔵する食料貯蔵室とを備えてなり、上記雪収容室と上記食料貯蔵室との境界部分は開放状態とされ、上記雪収容室内に上記降雪を収容した複数個のコンテナを上記側壁に沿って並列配置し、該雪収容室の該複数個のコンテナで区画された区画領域内に降雪が堆積収容され、該雪収容室内の複数個のコンテナ内の降雪及び該区画領域内の降雪による冷気は該食料貯蔵室に該開放状態の境界部分を介して導入されることを特徴とする食料貯蔵設備にある。
【０００８】
又、請求項４記載の設備の発明は、上記コンテナは四角箱状の枠組部材及び網目パネル部材からなることを特徴とするものであり、又、請求項５記載の設備の発明は、上記降雪を収容した複数個のコンテナは上記側壁に沿って積重状態で並列配置されていることを特徴とするものである。
【発明の効果】
【０００９】
本発明は上述の如く、請求項１又は３記載の発明にあっては、雪収容室内の複数個のコンテナ内の降雪及び区画領域内の降雪による冷気は食料貯蔵室に開放状態の境界部分を介して導入され、食料貯蔵室内は低温に保持され、農産物等の食料を新鮮な状態で比較的長期に亘って保存をすることができ、この際、上記雪収容室内に上記降雪を収容した複数個のコンテナを貯蔵庫の側壁に沿って並列配置し、この雪収容室の複数個のコンテナで区画された区画領域内に降雪を堆積収容し、上記雪収容室と上記食料貯蔵室との境界部分は開放状態としているから、雪収容室内の区画領域内に降雪をほぼ満杯状態で堆積収容したとしても、降雪を収容した複数個のコンテナが区画領域内の堆積収容した降雪による大きな側圧を受けることになり、それだけ、構築強度が高い頑丈な貯蔵庫を構築する必要がなくなり、貯蔵庫全体を簡易な構築構造とすることができ、経済性を高めることができる。
【００１０】
又、請求項２記載の発明にあっては、上記雪収容室内の区画領域内に複数枚の堰板を順次上方に積重配置して降雪を堆積収容するから、雪収容室内の区画領域内の降雪の収容堆積を容易に行うことができ、降雪の堆積作業性を向上することができ、上記雪収容室と上記食料貯蔵室との境界部分を良好な開放状態に保持することができる。
【００１１】
又、請求項４記載の発明にあっては、上記コンテナは四角箱状の枠組部材及び網目パネル部材からなるので、降雪を収容した複数個のコンテナを安定的に積み重ね状態で配置することができ、又、請求項５記載の発明にあっては、上記降雪を収容した複数個のコンテナは上記側壁に沿って積重状態で並列配置されているから、コンテナを積重状態とすることにより貯蔵庫の側壁を区画領域内の降雪による側圧から一層保護することができ、構築強度が高い頑丈な貯蔵庫を構築する必要がなくなり、貯蔵庫全体を簡易な構築構造とすることができ、経済性を高めることができる。
【図面の簡単な説明】
【００１２】
【図１】本発明の実施の形態例のコンテナの斜視図である。
【図２】本発明の実施の形態例の説明全体平面図である。
【図３】本発明の実施の形態例の説明全体側面図である。
【図４】本発明の実施の形態例の準備作業の説明側面図である。
【図５】本発明の実施の形態例の準備作業の説明側面図である。
【図６】本発明の実施の形態例の準備作業の説明平面図である。
【図７】本発明の実施の形態例の準備作業の説明側面図である。
【図８】本発明の実施の形態例の準備作業の説明側面図である。
【図９】本発明の実施の形態例の準備作業の説明側面図ある。
【図１０】本発明の実施の形態例の説明側面図である。
【図１１】従来構造の説明図である。
【発明を実施するための形態】
【００１３】
図１乃至図１０は本発明の実施の形態例を示し、１は貯蔵庫であって、図２、図３の如く、屋根１ａ及び側壁１ｂ並びに必要により図示省略の床材で囲繞形成され、貯蔵庫１内に降雪Ｓを収容する雪収容室２と農産物等の食料Ｅを貯蔵する食料貯蔵室３とに区画形成され、食料貯蔵室３に開閉シャッタＭを配置して構成している。
【００１４】
この場合、図２、図３の如く、上記雪収容室２と上記食料貯蔵室３との境界部分Ｋは開放状態とされている。
【００１５】
Ｃはコンテナであって、この場合、図１の如く、四角箱状に形成され、金属製、この場合、鉄製の四角箱状の枠組部材Ｃ１及び枠組部材Ｃ１の周囲の四つの側面及び底面に、金属製、この場合、鉄製の網目パネル部材Ｃ２・・を固着して上面が開口する四角箱状に形成され、しかして、コンテナＣの上面、側面及び底面の全面は開放状態に形成されている。
【００１６】
この場合、図２、図３の如く、上記雪収容室２内に上記降雪Ｓを収容した複数個のコンテナＣ・・を上記雪収容室２を構成する側壁１ｂに沿って並列配置し、さらに、雪収容室２の複数個のコンテナＣ・・で区画された区画領域Ｒ内に降雪Ｓを堆積収容し、これにより、雪収容室２内の複数個のコンテナＣ・・内の降雪Ｓ及び区画領域Ｒ内の降雪Ｓによる冷気Ｈは食料貯蔵室３に開放状態の境界部分Ｋを介して導入されることになる。
【００１７】
又、この場合、図３の如く、上記降雪Ｓを収容した複数個のコンテナＣ・・は上記側壁１ｂに沿って積重状態で並列配置されている。
【００１８】
Ｇは堰板であって、図７、図８の如く、合板等により形成され、上記雪収容室２と上記食料貯蔵室３との境界部分Ｋの左右の両側壁１ｂ・１ｂに着脱自在に木製等のガイド桟材１ｃ・１ｃを配置し、左右のガイド桟材１ｃ・１ｃ間に堰板Ｇを配置し、上記雪収容室２の区画領域Ｒ内に順次上方に複数枚積重配置して降雪Ｓを堆積収容し、雪Ｓの堆積収容後にガイド桟材１ｃ・１ｃ及び堰板Ｇを取り外すことになる。
【００１９】
この実施の形態例は上記構成であるから、図１の如く、複数個のコンテナＣ・・内に降雪Ｓを収容し、次いで、図４、図５、図６の如く、屋根１ａ及び側壁１ｂで囲繞形成された貯蔵庫１内の雪収容室２内に上記降雪Ｓを収容した複数個のコンテナＣ・・を、例えば、フォークリフトＦにより上記側壁１ｂに沿って順次並列配置し、次に、図７、図８の如く、上記雪収容室２内の複数個のコンテナＣ・・で区画された区画領域Ｒ内に降雪Ｓを、例えば、除雪機Ｊにより堆積収容し、次に、上記雪収容室２と上記食料貯蔵室３との境界部分Ｋの左右の両側壁１ｂ・１ｂに着脱自在に木製等のガイド桟材１ｃを配置し、左右のガイド桟材１ｃ間に堰板Ｇを配置し、複数個の堰板Ｇ・・を順次上方に積重配置し、食料貯蔵室３内への降雪Ｓの崩落侵入を防ぎ、図９の如く、雪収容室２内の降雪Ｓの堆積収容が完了次第、各堰板Ｇ・・を取り外し、これにより、図２、図３の如く、上記雪収容室２と上記食料貯蔵室３との境界部分Ｋは開放状態とされ、図１０の如く、食料貯蔵室３に農産物等の食料Ｅを収容可能な収納棚Ｑや農産物等の食料Ｅを収容可能な複数個のコンテナを配置することになり、しかして、上記雪収容室２内の複数個のコンテナＣ・・内の降雪Ｓ及び区画領域内Ｒの降雪Ｓによる冷気Ｈは食料貯蔵室３に開放状態の境界部分Ｋを介して導入され、食料貯蔵室３内は低温に保持され、農産物等の食料Ｅを新鮮な状態で比較的長期に亘って保存をすることができる。
【００２０】
この場合、図２、図３の如く、上記雪収容室２内に上記降雪Ｓを収容した複数個のコンテナＣ・・を貯蔵庫１の側壁１ｂに沿って並列配置し、この雪収容室２の複数個のコンテナＣ・・で区画された区画領域Ｒ内に降雪Ｓを堆積収容し、上記雪収容室２と上記食料貯蔵室３との境界部分Ｋは開放状態としているから、雪収容室２内の区画領域Ｒ内に降雪Ｓをほぼ満杯状態で堆積収容したとしても、降雪Ｓを収容した複数個のコンテナＣ・・が区画領域Ｒ内の堆積収容した降雪Ｓによる大きな側圧Ｄを受けることになり、それだけ、構築強度が高い頑丈な貯蔵庫１を構築する必要がなくなり、貯蔵庫１全体を簡易な構築構造とすることができ、経済性を高めることができる。
【００２１】
又、この場合、上記雪収容室２内の区画領域Ｒ内に複数枚の堰板Ｇ・・を順次上方に積重配置して降雪Ｓを堆積収容するから、雪収容室２内の区画領域Ｒ内の降雪Ｓの収容堆積を容易に行うことができ、降雪Ｓの堆積作業性を向上することができ、上記雪収容室２と上記食料貯蔵室３との境界部分Ｋを良好な開放状態に保持することができる。
【００２２】
又、この場合、上記コンテナＣ・・は四角箱状の枠組部材Ｃ１及び網目パネル部材Ｃ２・・からなるので、降雪Ｓを収容した複数個のコンテナＣ・・を安定的に積み重ね状態で配置することができ、又、この場合、上記降雪Ｓを収容した複数個のコンテナＣ・・は上記側壁１ｂに沿って積重状態で並列配置されているから、コンテナＣ・・を積重状態とすることにより貯蔵庫１の側壁１ｂを区画領域Ｒ内の降雪Ｓによる側圧Ｄから一層保護することができ、構築強度が高い頑丈な貯蔵庫１を構築する必要がなくなり、貯蔵庫１全体を簡易な構築構造とすることができ、経済性を高めることができる。
【００２３】
尚、本発明は上記実施の形態例のものに限られるものではなく、貯蔵庫１、屋根１ａ、側壁１ｂ、雪収容室２、食料貯蔵室３、コンテナＣの形状や大きさ、材質や構造等は適宜変更して設計される。
【００２４】
以上の如く、所期の目的を充分達成することができる。
【符号の説明】
【００２５】
Ｓ    降雪
Ｋ    境界部分
Ｃ    コンテナ
Ｃ１    枠組部材
Ｃ２    網目パネル部材
Ｒ    区画領域
Ｈ    冷気
Ｇ    堰板
Ｅ    農産物等の食料
１    貯蔵庫
１ａ    屋根
１ｂ    側壁
２    雪収容室
３    食料貯蔵室
【図１】
2018146176.tif 000003
【図２】
2018146176.tif 000004
【図３】
2018146176.tif 000005
【図４】
2018146176.tif 000006
【図５】
2018146176.tif 000007
【図６】
2018146176.tif 000008
【図７】
2018146176.tif 000009
【図８】
2018146176.tif 000010
【図９】
2018146176.tif 000011
【図１０】
2018146176.tif 000012
【図１１】
2018146176.tif 000013